(57)【要約】【課題】フィルターの面積を大きくすることができるフィルター構造体、また浸透筒上のフィルター構造体の高さ位置を調整することができ、さらには雨水桝の底部に滞留する雨水量を少なくできる雨水浸透桝および雨水中の有害物質を除去できる雨水浸透構造体を提供する。【解決手段】フィルター構造体については、ハット形状の下部枠体の外径を上部枠体のつば部の外径と等しくするとともに、下部枠体のつば部の幅を上部枠体のつば部の幅よりも大きくし、さらには中間部枠体を上下の枠体に挿入し、あるいはフィルター収納体ユニットを上部枠体の上に配置する。また、下部枠体以外の枠体の側壁部に雨水通過部を形成する。雨水浸透桝および雨水浸透構造体については、浸透筒にゼオライトを充填する。【選択図】図２
2015229862.tif 000002
【特許請求の範囲】
【請求項１】
それぞれがハット形状であって、かつ本体天井部に雨水通過孔を有する上部枠体と下部枠体の開口部を対向させて両者のつば部を接触させることにより、両枠体内にフィルター収納部を構成するとともに、各枠体の中心部にはボルト孔を有する支柱を形成し、上端に引掛け金具を係止したボルトを上部枠体と下部枠体のボルト孔に挿通し、下部枠体の支柱の下でボルトの先端をナット締めした雨水浸透桝用フィルター構造体であって、下部枠体は、つば部の外径を上部枠体のつば部の外径と等しくするとともに、つば部の幅を上部枠体のつば部の幅よりも大きくして、上部枠体本体の径が下部枠体本体の径よりも大きくなっていることを特徴とする雨水浸透桝用フィルター構造体。
【請求項２】
それぞれがハット形状であって、かつ本体天井部に雨水通過孔を有する上部枠体、中間部枠体および下部枠体とからなり、上部枠体と中間部枠体の開口部を対向させて両者のつば部を接触させることにより、両枠体内に第１のフィルター収納部を構成し、下部枠体は、その開口部を中間部枠体の背面に向けて、そのつば部を中間部枠体の本体背面に接触させることにより、下部枠体内に第２のフィルター収納部を構成するとともに、各枠体の中心部にボルト孔を有する支柱を形成し、上端に引掛け金具を係止したボルトを上部枠体、中間部枠体および下部枠体のボルト孔に挿通し、下部枠体の支柱の下でボルトの先端をナット締めした雨水浸透桝用フィルター構造体であって、中間部枠体はつば部の外径、つば部の幅および枠体本体の径を上部枠体と同じとし、かつ下部枠体は、つば部の外径を上部枠体（中間部枠体）のつば部の外径と等しくするとともに、つば部の幅を上部枠体（中間部枠体）のつば部の幅よりも大きくして、上部枠体（中間部枠体）本体の径が下部枠体本体の径よりも大きくなっていることを特徴とする雨水浸透桝用フィルター構造体。
【請求項３】
前記上部枠体の上に、上部枠体とつば部の外径、つば部の幅および枠体本体の径が同じ２つの枠体をその開口部を対向させて両者のつば部を接触させて両枠体内にフィルター収納部を構成したフィルター収納体ユニットを少なくとも１つ以上配置して、上端に引掛け金具を係止したボルトを該ユニット、上部枠体および下部枠体のボルト孔に挿通し、下部枠体の支柱の下でボルトの先端をナット締めしたことを特徴とする、請求項１に記載の雨水浸透桝用フィルター構造体。
【請求項４】
前記上部枠体の上に、該上部枠体とつば部の外径、つば部の幅および枠体本体の径が同じ２つの枠体をその開口部を対向させて両者のつば部を接触させて両枠体内にフィルター収納部を構成したフィルター収納体ユニットを少なくとも１つ以上配置して、前記ボルトを該ユニット、上部枠体、中間部枠体および下部枠体のボルト孔に挿通し、下部枠体の支柱の下でボルトの先端をナット締めしたことを特徴とする、請求項２に記載の雨水浸透桝用フィルター構造体。
【請求項５】
前記下部枠体以外の枠体の本体側壁部に複数の雨水が流入する雨水通過部を設けたことを特徴とする請求項１〜４のいずれか一項に記載の雨水浸透桝用フィルター構造体。
【請求項６】
請求項１〜５のいずれか一項に記載のフィルター構造体を雨水桝底壁の開口部に設けた浸透筒の上端に備える雨水浸透桝。
【請求項７】
請求項６に記載の雨水浸透桝と該雨水浸透桝の底壁開口部の下に設けた浸透部とを備える雨水浸透構造体であって、前記浸透筒の下端が雨水桝底壁の開口部を抜けて下方の地中に延びており、該浸透筒の地中にある部位の筒壁に複数の雨水浸透孔を形成し、同部位を袋状の透水シートに収納するとともに、該浸透筒内にはゼオライトを収納することにより、浸透部を構成したことを特徴とする雨水浸透構造体。
【発明の詳細な説明】
【技術分野】
【０００１】
本発明は、集水された雨水を地中に浸透させる雨水浸透桝において、雨水桝の底壁開口部に設けられる浸透筒の上端に配置されるフィルター構造体、該構造体を備える雨水浸透桝および雨水浸透構造体に関わるものである。
【背景技術】
【０００２】
都市化の進展にともない、屋根や道路舗装面などの雨水の不浸透域の増加は、豪雨時の浸水の多発や水質の悪化、地下水位の低下現象、緑地や街路樹の劣化などの弊害を招いている。近年においては、これらの問題を解決するために、雨水を地中に浸透させ、水循環機能を回復することが奨励されている。
【０００３】
雨水を地中に浸透させる手段として、図１２に示す雨水浸透桝設備（雨水浸透構造体）が知られている（特許文献１参照）。
この雨水浸透桝設備は、道路や住宅等の敷地内の雨水を集める雨水浸透桝とこの浸透桝に集水された雨水等を地中に浸透させる浸透部を備えている。
雨水浸透桝１は、通常コンクリート製の雨水桝２で周囲を囲まれており、上部には複数の雨水通路となる孔（図示せず）が形成された雨水桝蓋３が設置され、側壁には雨水を下水道管等に排出する排水管４が接続されている。５は雨水桝の底部（泥だめ部）である。
そして、雨水桝２の底壁６には貫通孔７が穿たれており、この貫通孔の開口部に浸透筒８を立設し、この浸透筒の上端にフィルターを収納したフィルター構造体１０が配置されている。
【０００４】
フィルター構造体１０は、それぞれがハット形状の上部枠体１１と下部枠体１２の開口部を対向させて、フィルター２４を収納するフィルター収納部を構成している。これらの上部と下部の枠体の中心部には、ボルト孔を有する支柱１５が形成され、この上部枠体と下部枠体の支柱にボルト２２を通し、下部枠体の下でこのボルトの先端をナット２３で締めている。このボルトの上端には、引掛け金具２１を取り付けて、フィルター構造体の交換や装着を容易に行えるようにしている。
【０００５】
雨水桝の浸透筒８の下方には浸透部３３が設けられている。
浸透部３３には、雨水桝の浸透筒の下方の地中に向かって孔が穿たれ、砕石３５が充填されている。砕石は、通常、袋状の透水シート３４に収納し、地中の砂などが砕石に混じらないようにしている。
【０００６】
この従来の発明では、雨水桝の集水された雨水は、まず底部５の泥溜部に滞留し、その水位が浸透筒８のフィルター構造体１０の高さを超えると、雨水はフィルター構造体を通過して、フィルター２４によりゴミ、砂などが除かれた後に、浸透筒から浸透部３３に流入する。
浸透部に流入した雨水は砕石間を通過して、透水シートを介して地中に浸透する。
【０００７】
ところで、従来の雨水浸透設備には以下の問題点（イ）〜（ニ）があった。
（イ）フィルター構造体の上部枠体の面積を大きくできない。
従来の雨水浸透桝の浸透筒の上端に配置されるフィルター構造体は、上部枠体と下部枠体の開口部同士を対向させて両枠体内にフィルターを収納しており、上部枠体の径は下部枠体の径と同じである。また下部枠体は、雨水浸透桝の浸透筒の上端に配置されおてり、下部枠体の本体はこの浸透筒の径に合わせられている。
このため、上部枠体内に収納できるフィルターの雨水流入面積は下部枠体と同じ大きさであり、下部枠体以上に、上部枠体のフィルターの雨水流入面積を大きくすることができない。上部枠体のフィルターの雨水流入面積が小さいとフィルターに目詰まりが発生しやすくなる。目詰まりが発生するとフィルターの通水能力が低下し、フィルター構造体の機能を発揮できないことになる。
【０００８】
（ロ）浸透筒上端のフィルター構造体の高さ位置を調整できない。
雨水桝に流入した雨水を処理する方式にはいわゆるベースカット方式とピークカット方式などがある。
ベースカット方式は、図１２に示すように、雨水桝の流入した雨水が浸透筒８のフィルター構造体１０の高さを超えてから、雨水が排水管４に流出して下水道管等に排出する方式であり、流入した雨水を浸透部に浸透させ、浸透部の浸透能力を超える雨水は排水管４から排出させる方式である。
他方、ピークカット方式は、フィルター構造体の高さ位置よりも排水管の排出口の高さ位置を低くし、雨水流入量が少ないときには排水管を通して、下水道管などに排出し、流入量が増大してフィルター構造体の高さ位置を超えると、浸透筒からも浸透部に雨水が流入する方式である。
これらの方式は設置環境や浸透能力に応じていずれかの方式が採用される。
しかし、雨水桝２の側壁に設けられた排水管４の取り付け位置の高さはまちまちであり、排水管の位置と浸透筒上のフィルター構造体の高さ位置をより適した位置関係に簡単に調整することができなかった。
【０００９】
（ハ）浸透筒が雨水浸透桝の底壁より立設しているため、雨水が雨水桝の底部（泥だめ部）に溜まり長時間滞留すると、異臭が発生したりボウフラが発生したりする場合がある。
生活環境を維持するためにも、蚊が媒介する病気の流行を防止するためにも、できる限り、雨水桝の底部５に滞留する雨水量を少なくすることが望ましい。
【００１０】
（ニ）雨水に含まれる有害物質を十分に除けない。
雨水桝に流入する雨水には、道路上を走行する自動車のタイヤや排気ガスなどを発生源とする鉛や亜鉛などの重金属を含まれている。重金属は毒性を持つものが少なくない。
従来の雨水浸透桝は、フィルターでゴミや砂を取り除いて、雨水を地中に浸透させることができるが、雨水に溶け込んだ鉛などの有害物質を除去することはできない。
【先行技術文献】
【特許文献】
【００１１】
【特許文献１】特開２０１０−２５５２１９号公報
【発明の概要】
【発明が解決しようとする課題】
【００１２】
本発明は、上記の問題点を解消するためになされたものであって、以下の（１）〜（４）を目的とするものである。
（１）フィルター構造体の上部枠体の面積を大きくできる。
（２）浸透筒上のフィルター構造体の高さ位置を調整することが可能である。
（３）雨水桝の底部に滞留する雨水量を少なくすることができる。
（４）重金属などの有害物質を除去した雨水を地中に浸透させることができる。
【課題を解決するための手段】
【００１３】
本発明は、上記の課題を解決するため、以下の手段を採用する。
［１］それぞれがハット形状であって、かつ本体天井部に雨水通過孔を有する上部枠体と下部枠体の開口部を対向させて両者のつば部を接触させることにより、両枠体内にフィルター収納部を構成するとともに、各枠体の中心部にはボルト孔を有する支柱を形成し、上端に引掛け金具を係止したボルトを上部枠体と下部枠体のボルト孔に挿通し、下部枠体の支柱の下でボルトの先端をナット締めした雨水浸透桝用フィルター構造体であって、下部枠体は、つば部の外径を上部枠体のつば部の外径と等しくするとともに、つば部の幅を上部枠体のつば部の幅よりも大きくして、上部枠体本体の径が下部枠体本体の径よりも大きくなっていることを特徴とする雨水浸透桝用フィルター構造体。
［２］それぞれがハット形状であって、かつ本体天井部に雨水通過孔を有する上部枠体、中間部枠体および下部枠体とからなり、上部枠体と中間部枠体の開口部を対向させて両者のつば部を接触させることにより、両枠体内に第１のフィルター収納部を構成し、下部枠体は、その開口部を中間部枠体の背面に向けて、そのつば部を中間部枠体の本体背面に接触させることにより、下部枠体内に第２のフィルター収納部を構成するとともに、各枠体の中心部にボルト孔を有する支柱を形成し、上端に引掛け金具を係止したボルトを上部枠体、中間部枠体および下部枠体のボルト孔に挿通し、下部枠体の支柱の下でボルトの先端をナット締めした雨水浸透桝用フィルター構造体であって、中間部枠体はつば部の外径、つば部の幅および枠体本体の径を上部枠体と同じとし、かつ下部枠体は、つば部の外径を上部枠体（中間部枠体）のつば部の外径と等しくするとともに、つば部の幅を上部枠体（中間部枠体）のつば部の幅よりも大きくして、上部枠体（中間部枠体）本体の径が下部枠体本体の径よりも大きくなっていることを特徴とする雨水浸透桝用フィルター構造体。
［３］前記上部枠体の上に、上部枠体とつば部の外径、つば部の幅および枠体本体の径が同じ２つの枠体をその開口部を対向させて両者のつば部を接触させて両枠体内にフィルター収納部を構成したフィルター収納体ユニットを少なくとも１つ以上配置して、上端に引掛け金具を係止したボルトを該ユニット、上部枠体および下部枠体のボルト孔に挿通し、下部枠体の支柱の下でボルトの先端をナット締めしたことを特徴とする、［１］に記載の雨水浸透桝用フィルター構造体。
［４］前記上部枠体の上に、該上部枠体とつば部の外径、つば部の幅および枠体本体の径が同じ２つの枠体をその開口部を対向させて両者のつば部を接触させて両枠体内にフィルター収納部を構成したフィルター収納体ユニットを少なくとも１つ以上配置して、前記ボルトを該ユニット、上部枠体、中間部枠体および下部枠体のボルト孔に挿通し、下部枠体の支柱の下でボルトの先端をナット締めしたことを特徴とする、［２］に記載の雨水浸透桝用フィルター構造体。
［５］前記下部枠体以外の枠体の本体側壁部に複数の雨水が流入する雨水通過部を設けたことを特徴とする［１］〜［４］４のいずれかに記載の雨水浸透桝用フィルター構造体。
［６］［１］〜［５］のいずれかに記載のフィルター構造体を雨水桝底壁の開口部に設けた浸透筒の上端に備える雨水浸透桝。
［７］［６］に記載の雨水浸透桝と該雨水浸透桝の底壁開口部の下に設けた浸透部とを備える雨水浸透構造体であって、前記浸透筒の下端が雨水桝底壁の開口部を抜けて下方の地中に延びており、該浸透筒の地中にある部位の筒壁に複数の雨水浸透孔を形成し、同部位を袋状の透水シートに収納するとともに、該浸透筒内にはゼオライトを収納することにより、浸透部を構成したことを特徴とする雨水浸透構造体。
【発明の効果】
【００１４】
本発明のフィルター構造体では、下部枠体以外の上部枠体等に収納できるフィルターの面積を大きくすることにより、フィルターの目詰まりの発生を低減することができ、フィルター構造体の通水機能を良好な状態でより長く維持できる。また、中間部枠体やフィルター収納体ユニットを使用することにより、雨水桝において、浸透筒の上端に配置されたフィルター構造体の高さ位置を調整することができる。さらに該フィルター構造体は、これらの枠体の側壁部に雨水通過部を設けることにより、雨水桝の底部に滞留する雨水量を低減できる。また、本発明の雨水浸透構造体では、浸透筒にゼオライトを収納することにより、有害物質の重金属等を除いた雨水を地中に浸透させることができる。
【図面の簡単な説明】
【００１５】
【図１】本発明のフィルター構造体の実施形態の１例（ａ）およびその組立図（ｂ）を示す。
【図２】本発明のフィルター構造体の実施形態の他の１例を示す。
【図３】本発明のフィルター構造体の実施形態の他の１例を示す。
【図４】本発明のフィルター構造体の実施形態の他の１例を示す。
【図５】本発明のフィルター構造体の実施形態の他の１例を示す。
【図６】下部枠体の平面図（ａ）とＡ−Ａ断面図（ｂ）を示す。
【図７】上部枠体（中間部枠体）の平面図（ａ）とＡ−Ａ断面図（ｂ）を示す。
【図８】雨水通過部を有する上部枠体（中間部枠体）の斜視図〔（ａ）開口部が下向き、（ｂ）開口部が上向き〕を示す。
【図９】引掛け金具を係止したボルト〔（ａ）正面図、（ｂ）側面図〕を示す。
【図１０】本発明の雨水浸透桝、雨水浸透構造体の１例を示す。
【図１１】本発明の雨水浸透桝、雨水浸透構造体の１例を示す。
【図１２】従来の雨水浸透設備を示す。
【発明を実施するための形態】
【００１６】
最初に、雨水桝の浸透筒の上端に配置される、本発明の雨水浸透桝用フィルター構造体を図１〜９に基づいて説明する。
図１に示す本発明のフィルター構造体１０は、それぞれハット形状の上部枠体１１と下部枠体１２の開口部を対向させて両者のつば部（フランジ部）１３、１４を接触させることにより、両枠体内にフィルター２４を収納するフィルター収納部を構成している。そして、この構造体１０は雨水桝の浸透筒８の上端に配置され、その下部枠体１２の本体が浸透筒の上端に嵌めこまれるようになっている。
ここでハット形状とは、つば部（フランジ部）を有する帽子状（縦断面が略コ字状）の形状を指している。また、枠体の本体とは枠体からつば部を除いた部分を指している。なお、本体側壁部は外側に傾斜（例えば１〜５°程度）していてもよいし、垂直でもよい。
【００１７】
このフィルター構造体１０では、下部枠体のつば部１４の幅を上部枠体のつば部１３の幅よりも大きくし、かつ上部枠体１１と下部枠体１２はつば部の外径を等しくしているので、上部枠体の本体の径（外径および内径）が下部枠体の本体の径（外径および内径）よりも大きくなっている。
このようにすることにより、上部枠体内には、下部枠体内に収納されるフィルターよりも、雨水流入面積が大きいフィルターを収納することができる。
フィルターは、使用期間の経過にともない、ゴミや砂により目詰まりを生じ、フィルターの通水能力が低下するが、上部枠体内に雨水流入面積が大きいフィルターを収納することにより、フィルターの目詰まりを低減することができる。その結果、フィルター構造体の通水機能を良好な状態でより長く維持できる。
【００１８】
例えば、下部枠体の本体の径が１５０ｍｍの場合、本体の径が２００ｍｍの上部枠体を使用すれば、下部枠体のつば部の幅を３５ｍｍ程度、上部枠体のつば部の幅を１０ｍｍ程度にすると、上部と下部の枠体の外径を等しくすることができる。なお、本発明の枠体内径やつば部の外径、幅などの寸法はこれらの数値に限定されるものでない。
枠体は、例えば合成樹脂材料で作られる。材料としてはこれに限らないが、腐食しにくい材料で作ることが好ましい。
【００１９】
各枠体の中心部にはボルト孔１６を有する支柱１５が形成され、枠体の本体天井部には格子状のリブ１７、１７・・・が設けられており、多数の雨水通過孔１８、１８・・・が形成されている。図６には下部枠体のリブ１７、１７・・・、雨水通過孔１８、１８・・・が、図７には上部枠体のリブ１７、１７・・・、雨水通過孔１８、１８・・・がそれぞれ示されている。これらの雨水通過孔は、雨水が流通できるものであれば、格子状のリブで形成する必要はなく、どのようなものでもよい。
【００２０】
そして、図１に示すように、上端に引掛け金具２１を係止したボルト２２を上部枠体と下部枠体の支柱１５のボルト孔１６に挿通して、下部枠体１２の支柱１５の下でボルトの先端をナット２３で締めることにより、両枠体が固定される。
【００２１】
引掛け金具２１は、引掛け棒等により引っ掛けることにより、雨水桝内の浸透筒８からのフィルター構造体の取り出しや再配が容易に行えるようにするものであり、図９には引掛け棒が挿入できる孔が形成されたＬ字状の引掛け金具２１を係止したボルト２２が示されている。Ｌ字状にしておくと、引掛け金具を引いたとき、枠体のボルト孔の中心よりもずれて引く力がかかるために、フィルター構造体を浸透筒から容易に外すことができる。
【００２２】
フィルター収納部に収納されるフィルター２４は、ゴミや砂をろ過する機能を有するものであればよく、通常は合成樹脂繊維が使用され、各枠体の支柱の周りに収納されるが、収納部の空間に合わせて過不足なく充填することが望ましい。収納を容易にするため、フィルターは、ドーナツ状に形を整えたり、ネットにくるんだりしてもよい。
【００２３】
上部と下部の枠体のつば部同士が接触する面には、互いに嵌まり合う凸部１９と凹部２０を形成してもよい（図６、図７参照）。
下部枠体の凸部１９あるいは凹部２０を上部の枠体の凹部あるいは凸部にそれぞれ嵌め合わせて両枠体１１、１２をつば部の面で接触させると、つば部の面で枠体が互いにずれることがなく、上部と下部の枠体をより安定して据え付けることができる。
【００２４】
凹部と凸部は形成しなくともよいが、各つば部の面に１箇所以上、好ましくはつば面円周上の対向する２箇所以上に、さらに好ましくはつば面に等間隔に４箇所以上に凸部あるいは凹部を形成することが望ましい。
【００２５】
図６（ａ）、（ｂ）には、下部枠体のつば部の面に等間隔の４箇所に、凸部１９あるいは凹部２０が二重に形成されている例が示されている。また、図７（ａ）、（ｂ）には、上部枠体のつば部の面に等間隔の４箇所に、凸部１９あるいは凹部２０が形成されている例が示されている。さらに上部枠体には、８図（ｂ）からも分かるようにリブ１７の支持部（図面番号なし）を設けて、この支持部のつば面に連なる面にも同様の凸部あるいは凹部を形成してもよい。
【００２６】
すでに記載したように、各枠体本体の天井部には多数の雨水通過孔１８が設けられているが、さらに上部枠体の本体の側壁部にも雨水が流入する雨水通過部２５を設けることができる。図８には、このような雨水通過部２５が複数穿たれているものが示されている。
この雨水通過部２５は、図８に示すような切り欠きでなくとも、側壁部に形成した孔でもよい。
【００２７】
こうしておくと、雨水桝に流入する雨水は、上部枠体の本体上面（天井面）からのみならず、上部枠体の側壁部の雨水通過部２５からもフィルター収納部に流入するため、雨水が雨水桝に滞留した場合、雨水の水位をより低くすることができる。雨水桝底壁に設けた浸透筒８の高さを低くすれば、雨水桝の底部（泥だめ部）５に滞留する雨水の水位をさらに低減することができる（後述の図１１参照）。
雨水桝の底部に滞留する雨水の水位を低くすることができると、雨水が雨水桝の底部（泥だめ部）に溜まり長時間滞留することが少なくなり、異臭やボウフラの発生の防止につながり、快適な生活環境を維持し、蚊が媒介する病気の流行を防止することに寄与することができる。
【００２８】
以下の図２〜６に、図１に示すものとは異なる型の、本発明のフィルター構造体を示す。これらに発明においても、フィルター構造体を構成する各枠体はそれぞれハット形状の枠体である。そして、各枠体の本体天井部に雨水通過孔が、その中心部にはボルト孔を有する支柱がそれぞれ形成され、これら各枠体のボルト孔に上端に引掛け金具を係止したボルトを挿通して、下部枠体の支柱の下でボルトの先端をナット締めされて、フィルター構造体が形成される。
【００２９】
図２に示される本発明のフィルター構造体１０は、上部枠体１１、中間部枠体２６および下部枠体１２から構成され、上部枠体１１と下部枠体１２との間に中間部枠体２６が挿入されている。
ここで中間部枠体２６は、つば部の外径、つば部の幅、枠本体の径（外径および内径）が上部枠体１１と同じであり、上部枠体、下部枠体と同様に、枠体本体の天井部に雨水通過孔を有し、枠体の中心部にボルト孔を有する支柱が形成されている。なお、中間部枠体２６の高さは上部枠体１１の高さと同じであっても、異なっていてもいずれでもよい。
そして、上部枠体１１と中間部枠体２６の開口部を対向させて上部枠体のつば部１３と中間部枠体のつば部２７を接触させることにより、両枠体内に、第１のフィルター収納部を構成している。
【００３０】
下部枠体は、つば部１４の幅を上部枠体（中間部枠体）のつば部１３（２７）の幅よりも大きくし、かつつば部の外径を上部枠体（中間部枠体）のつば部の外径と等しくしている。したがって、上部枠体（中間部枠体）本体の径が下部枠体本体の径よりも大きくなっている。
そして、下部枠体１２は、そのつば部１４を中間部枠体２６の本体背面の周縁部に接触させることにより、下部枠体の枠内に第２のフィルター収納部を構成して、フィルターが収納される。なお、背面とは枠体の開口部側とは反対側の面を指している。
【００３１】
中間部枠体２６の本体背面の周縁部とこの周縁部に接触する下部枠体のつば部１４の面には、図１に示されたものと同様に、互いに嵌まり合う凸部と凹部を形成してもよい。こうすると、両者の据え付けが安定して行える。
図２には、下部枠体のつば面に、図６（ａ）に示した凹部２０（内側の方に形成された凹部２０）と、中間部枠体２６本体背面の周縁部にこの凹部に嵌まり合う凸部１９とが形成されていることが示されている。
【００３２】
この発明においては、図１に示されたフィルター構造体と同様に、上部枠体１１および中間部枠体２６の枠体内には、下部枠体内に収納されるフィルターよりも、雨水流入面積が大きいフィルターを収納することができ、フィルターの目詰まりを低減することができる。その結果、フィルター構造体の通水機能を良好な状態でより長く維持できる。
【００３３】
また、中間部枠体は、つば部の外径、つば部の幅、枠本体の径（外径および内径）が上部枠体１１と同じであるから、枠体の開口部の向きを変えるだけで、上部枠体に使用することができる。同様に、上部枠体は、つば部の外径、つば部の幅、枠本体の径（外径および内径）が中間部枠体と同じであるから、枠体の開口部の向きを変えるだけで、中間部枠体に使用することができる。
【００３４】
上部、中間部および下部の枠体は、図２に示すように、引掛け金具２１を取り付けたボルト２２がこれらの枠体に挿通されて、下部枠体の支柱の下でボルトの先端をナット２３で締めて固定される。
【００３５】
図２に示されるフィルター構造体では、中間部枠体２６が上部と下部の枠体（１１、１２）の間に挿入されているから、中間部枠体の高さ分だけ、浸透筒８上端に配置されたフィルター構造体１０の高さ位置を高くすることができる。したがって、浸透筒上端に配置されたフィルター構造体の高さ位置が排水管４の排水口に比べて低すぎる場合には、上記の中間部枠体を使用したフィルター構造体を使用することによって、フィルター構造体の上面の高さ位置を高くして適正化することができる。
また、浸透筒上端に配置されたフィルター構造体の高さ位置が排水管４の排水口が比べて高すぎる場合には、中間部枠体を除いて、フィルター構造体の上面の高さ位置を低くして適正化し、図１に示されるフィルター構造体と同じものとして使用することもできる。
このように、中間部枠体の挿入や非挿入により、フィルター構造体の高さ位置を排水管４の排水口に対して、適正な位置にアジャストできる。
【００３６】
また、この発明においても上部枠体と中間部の枠体の側壁部に、複数の雨水が流通する雨水通過部２５を設けて（図８参照）、すでに記載したように、雨水桝に滞留する雨水の水位を低くすることができる。
【００３７】
図３に示す本発明のフィルター構造体１０は、２つの枠体２９、３０を、その開口部を対向させてフィルター収納部を構成したフィルター収納体ユニット２８としたものを、図１に示すフィルター構造体の上部枠体１１の上に配置したものである。
ここでユニットを構成する枠体２９、３０は、つば部の外径、つば部の幅、枠本体の径（外径および内径）が上部枠体１１と同じであり、上部枠体、下部枠体と同様に、枠体本体の天井部に雨水通過孔を有し、枠体の中心部にボルト孔を有する支柱が形成されている。なお、枠体２９、３０の高さは上部枠体１１の高さと同じであっても、異なっていてもいずれでもよい。
そして、このフィルター構造体は、上端に引掛け金具２１を係止したボルト２２を前記ユニット２８、上部枠体１１および下部枠体１２のボルト孔に挿通し、下部枠体の支柱の下でボルトの先端をナット２３で締めて、これらの枠体が固定されている。
【００３８】
このフィルター構造体でも、図１、図２に示されるものと同様に、上部枠体１１およびフィルター収納体ユニット２８の枠体内には、下部枠体内に収納されるフィルターよりも、雨水流入面積が大きいフィルターを収納することができ、フィルターの目詰まりを低減することができる。その結果、フィルター構造体の通水機能を良好な状態でより長く維持できる。
また、フィルター収納体ユニットが上部枠体の上に配置されているから、この発明でも、フィルター収納体ユニットの高さ分だけ、浸透筒８上端に配置されたフィルター構造体の高さを高くして調節できる。
したがって、浸透筒上端に配置されたフィルター構造体の高さ位置が排水管４の排水口に比べて低すぎる場合には、上記のフィルター収納体ユニットを配置することにより、フィルター構造体の上面の高さ位置を高くして、適正化することができる。
浸透筒上端に配置されたこの発明のフィルター構造体の高さ位置が排水管４の排水口が比べて高すぎる場合には、フィルター収納体ユニットを除いて、フィルター構造体の上面の高さ位置を低くして、適正化して使用することもできる。
このように、フィルター収納体ユニットの配置、非配置により、フィルター構造体の高さ位置を排水管４の排水口に対して、適正な位置にアジャストできる。
【００３９】
また、この発明では、ユニットの枠体２９、３０は、つば部の外径、つば部の幅、枠本体の径（外径および内径）が上部枠体１１と同じであるから、上部枠体は、ユニットの枠体に使用することができ、ユニットの枠体は、上部枠体やユニットの他方の枠体に使用することができる。
【００４０】
図３に示すものでは、フィルター収納体ユニット２８を１つ配置しているが、複数のフィルター収納体ユニット２８、２８・・・を上部枠体の上に、配置することもできる。図５には、上部枠体１１の上に、３つのフィルター収納体ユニット２８を配置したものを示した。したがって、この発明では、図３に示すものに比べて、浸透筒の上端に配置されたフィルター構造体の上面高さをさらに高くすることができる。
【００４１】
この発明の上部枠体とこの上に配置されるフィルター収納体ユニットの枠体についても、互いに接する２つの枠体の本体背面の周縁部やつば部の面には、図１や図２に示したものと同様に、互いに嵌まり合う凸部と凹部を形成してもよい。こうすると、両者の据え付けが安定して行える。
【００４２】
また、このフィルター構造体でも、下部枠体以外のフィルター収納体ユニットおよび上部枠体の側壁部に雨水通過部を設けて、雨水桝底部（泥だめ部）に滞留する雨水の水位を低くすることができる。
【００４３】
図４に示す本発明のフィルター構造体も、図３に示したものと同様に、２つの枠体２９、３０を、その開口部を対向させてフィルター収納部を構成したフィルター収納体ユニット２８としたものを、図２に示すフィルター構造体の上部枠体１１の上に配置したものである。
ここでもユニットを構成する枠体２９、３０は、つば部の外径、つば部の幅、枠本体の径（外径および内径）が上部枠体１１（中間部枠体）と同じであり、上部枠体、下部枠体と同様に、枠体本体の天井部に雨水通過孔を有し、枠体の中心部にボルト孔を有する支柱が形成されている。なお、枠体２９、３０の高さは上部枠体１１の高さと同じであっても、異なっていてもいずれでもよい。
そして、このフィルター構造体は、上端に引掛け金具２１を係止したボルト２２を前記ユニット２８、上部枠体１１、中間部枠体および下部枠体１２のボルト孔に挿通し、下部枠体の支柱の下でボルトの先端をナット２３で締めて、これらの枠体が固定されている。
【００４４】
このフィルター構造体も、図３に示したものと同様に、上部枠体、中間部枠体およびフィルター収納体ユニットの枠体内には、下部枠体内に収納されるフィルターよりも、雨水流入面積が大きいフィルターを収納することができ、フィルターの目詰まりを低減することができる。その結果、フィルター構造体の通水機能を良好な状態でより長く維持できる。
また、図３に示されるものと同様に、フィルター収納体ユニットが上部枠体の上に配置されているから、この発明でも、中間部枠体とフィルター収納体ユニットの高さ分だけ、浸透筒８上端に配置されたフィルター構造体の高さを高くすることができる。
【００４５】
したがって、浸透筒上端に配置されたフィルター構造体の高さ位置が排水管４の排水口に比べて低すぎる場合には、上記のフィルター収納体ユニットを配置することにより、フィルター構造体の上面の高さ位置を高くして、適正化することができる。
浸透筒上端に配置されたこの発明のフィルター構造体の高さ位置が排水管４の排水口が比べて高すぎる場合には、フィルター収納体ユニットや中間部枠体を除いて、フィルター構造体の上面の高さ位置を低くして、適正化して使用することもできる。
このように、フィルター収納体ユニットの配置、非配置や中間部枠体の挿入、非挿入により、フィルター構造体の高さ位置を排水管４の排水口に対して、適正な位置にアジャストできる。
【００４６】
図４では、フィルター収納体ユニット２８を１つ配置したものが示されているが、上部枠体１１の上に複数のフィルター収納体ユニット２８を配置することもできる。
したがって、この発明では、図２に示すものに比べて、浸透筒の上端に配置されたフィルター構造体の上面高さをさらに高く調節することができる。
【００４７】
この発明の上部枠体とこの上に配置されるフィルター収納体ユニットの枠体についても、互いに接する２つの枠体の本体背面の周縁部やつば部には、図１や図２に示したものと同様に、互いに嵌まり合う凸部と凹部を形成してもよい。こうすると、両者の据え付けが安定して行える。
【００４８】
この発明でも、下部枠体以外のフィルター収納体ユニット、上部枠体、中間部枠体の枠体の側壁部に雨水通過部を設けて、雨水桝に滞留する雨水の水位を低くすることができる。
【００４９】
なお、図１〜５おいて示すフィルター構造体では、下部枠体の深さを、上部枠体や中間部枠体やフィルター収納体ユニットの枠体の深さより大きくしたフィルター構造体が示されている。下部枠体を浸透筒に安定して装着するためには、ある程度の深さが必要であるが、本発明においては、前記の下部枠体以外の枠体の高さが下部枠体の高さより小さいものに限るものではない。
また、前記の下部枠体以外の枠体のつば部は、下部枠体や他の枠体のつば部に安定して接触させることができる限り、その幅を狭くすることができる。
【００５０】
次に、本発明の雨水浸透桝および雨水浸透構造体を図１０および図１１に基づいて説明する。
本発明の雨水浸透桝１は、図１０に示すように、雨水桝の底壁６に形成された貫通孔７の開口部に設けた浸透筒８の上端に、すでに説明した本発明のフィルター構造体１０が配置されている。ここでは図２に示した中間部枠体を備える型のものが示されているが、図１や図３〜５に示したいずれの型のフィルター構造体１０でもよい。
フィルター構造体のフィルターによりゴミや砂が除かれた雨水は、雨水浸透桝１の下方に設けられた浸透部３３に流入する。
浸透筒８については、図１０に示すように、浸透筒８の下端が雨水桝底壁の貫通孔の下方の浸透部３３にまで延びていても、あるいは図１２に示す従来例のように浸透筒８の下端が雨水桝底壁６の貫通孔７の下方に配置される浸透部３３に達していなくともいずれでもよい。
【００５１】
雨水浸透構造体は、浸透筒上端にフィルター構造体を備える雨水浸透桝とこの雨水桝の雨水桝底壁の開口部下方の地中に形成された浸透部とからなる。
本発明の雨水浸透桝は、浸透筒８の上端に本発明のフィルター構造体１０を備えるものである。本発明のフィルター構造体についてはすでに記載した。  
図１２に示されている従来の浸透部３３は、通常、雨水桝の貫通孔７の開口部の下方の地中に穿たれた孔の内部に設けられ、この孔に充填された多数の砕石３５とこれを収納した袋状の透水シート３４から構成されている。また、浸透筒８の下端は地中の浸透部にまで達していない。
【００５２】
これに対して、本発明の雨水浸透構造体の浸透部では、図１０に示すように、浸透筒８が雨水桝の底壁６の開口部を抜け開口部の下方の地中に延びている。そして、浸透筒の地中にある部位の筒壁には複数の雨水浸透孔３６が形成されており、かつ同部位が袋状の透水シート３４に収納されるとともに、該浸透筒内にはゼオライトが収納されることにより、浸透部３３が構成されている。
ゼオライト３５は、上記の浸透筒の地中にある部位のみに収納してもよいし、同部位のみならず、浸透筒の雨水桝内にある部位にも収納してもよい。
なお、浸透筒８を安定して据え付けるために、雨水孔の底壁の貫通孔の径を浸透筒の径よりも大きくして、浸透筒の周囲と貫通孔７の間隙をモルタル３７で埋めて固めてもよい。
【００５３】
すでに記載したように、フィルター構造体１０の下部枠体以外の枠体の側壁部に雨水が流入する雨水通過部２５が形成されている場合は、雨水がこの流通部２５からも雨水が浸透筒８に流入するから、雨水桝に滞留する雨水の水位を低くすることができる。
また、雨水桝底壁の開口部に設ける浸透筒の雨水桝底壁からの高さを低くすることで、さらにこの水位を低くすることができる。図１１に示すものでは、上部枠体１１および中間部枠体２６の側壁に雨水通過部２５を設け、かつ浸透筒８の上端を雨水桝の底壁６上面以上にはほとんど出ないようにして、この底壁６上面とほぼ同じ高さにしているから、雨水桝の底部（泥だめ部）５に溜まる雨水の水位をほとんど零（ゼロ）にすることができる。
【００５４】
本発明の浸透構造体における浸透筒内に、一般の砕石ではなくゼオライトを収納したのは、以下の理由による。
雨水浸透桝に流入する雨水には、道路上を走行する自動車や自動車のタイヤなどから発生する鉛や亜鉛のような重金属が含まれている。重金属には人体に有害となるものがあり、上記の従来の雨水浸透設備は、このような有害な物質を除くことは配慮されていなかった。
そこで、本発明の雨水浸透構造体における浸透筒内には、このような有害物質を取り除くために、上記の一般の砕石の代わりに、ゼオライトの鉱石を充填したのである。
ゼオライトは、雨水中のＰｂ、Ｚｎなどの重金属イオンやセシウムイオンを吸着して、雨水から有害金属等を除去することができる。
なお、ゼオライトとして人工ゼオライトを使用してもよい。
【００５５】
本発明の雨水浸透構造体は、浸透筒８を地中にまで伸ばすことにより、地中における浸透筒周辺の地層（地山）を保持して崩壊することを防ぎ、地層の土砂が浸透部へ進入することや地盤が沈下することが発生しないようにすることができる。
【００５６】
浸透筒は、耐食性に優れる高強度の材料、例えば塩ビ製のパイプを使用することが好ましい。
なお、透水シートは、十分な強度と耐腐食性を有し長期間の使用に耐えるものが好ましく、ポリエステル製の不織布などが使用される。
【００５７】
ゼオライト３５は、袋状のネットにくるんだ状態で浸透筒に収納することもできる。こうすると、ゼオライトの回収や交換が容易に行える。
浸透筒におけるゼオライトは、雨水を浸透させるため適度な空隙を有するものが好ましい。
なお、ゼオライトは、粒度をそろえた単粒度のものでもよい。また、浸透筒に収納する場合、下部に充填されるゼオライトは比較的粒度が小さいものを、その上の上部には比較的粒度が大きいゼオライトを充填するのが好ましい。
【００５８】
本発明の雨水浸透構造体の浸透部３３では、雨水桝のフィルター構造体１０を通過して浸透筒８に流入した雨水が、ゼオライト３５の吸着作用により重金属やセシウムなどの有害物質が除かれて、浸透筒の雨水浸透孔３６から流出して、透水シート３４を通過して地中に浸透する。
【００５９】
このように、本発明の浸透構造体は、浸透筒上端のフィルターによりゴミや砂利などを除き、さらに浸透筒内のゼオライトにより有害な重金属等を除いた雨水を、地中に浸透させるから、土壌の汚染や地下水の汚染を防ぐことができる。
【符号の説明】
【００６０】
１：雨水浸透桝                        ２：雨水桝      
３：雨水桝蓋                          ４：排水管    
５：雨水桝の底部                      ６：雨水桝の底壁      
７：貫通孔                            ８：浸透筒      
９：砕石浮上防止部材                  １０：フィルター構造体      
１１：上部枠体                        １２：下部枠体      
１３：上部枠体のつば部                １４：下部枠体のつば部      
１５：枠体の支柱                      １６：枠体のボルト孔      
１７：リブ                            １８：雨水通過孔      
１９：凸部                            ２０：凹部      
２１：引掛け金具                      ２２：ボルト      
２３：ナット                          ２４：フィルター      
２５：雨水通過部                      ２６：中間部枠体
２７：中間部枠体のつば部              ２８：フィルター収納体ユニット      
２９：ユニットを構成する一方の枠体    ３０：ユニットを構成する他方の枠体
３１：ユニットを構成する一方の枠体のつば部
３２：ユニットを構成する他方の枠体のつば部
３３：浸透部                          ３４：透水シート      
３５：砕石、ゼオライト                ３６：雨水浸透孔      
３７：モルタル
【図１】
2015229862.tif 000003
【図２】
2015229862.tif 000004
【図３】
2015229862.tif 000005
【図４】
2015229862.tif 000006
【図５】
2015229862.tif 000007
【図６】
2015229862.tif 000008
【図７】
2015229862.tif 000009
【図８】
2015229862.tif 000010
【図９】
2015229862.tif 000011
【図１０】
2015229862.tif 000012
【図１１】
2015229862.tif 000013
【図１２】
2015229862.tif 000014